(57)【特許請求の範囲】
【請求項１】
レジ袋の開口部に係止孔を有して引きちぎり可能な係止片を有した前記レジ袋を商品として陳列するための、陳列棚に設けられるレジ袋陳列構造であって、
前記陳列棚に装着する本体と、この本体の前方側にて左右方向に設けられると共に平折りして多数重ねた前記レジ袋の束を２つ折りにして掛けるための水平バーと、レジ袋の前記係止片が２つ折りの背面側となる様にして前記水平バーに掛けた時にレジ袋の前記係止孔を係止させるレジ袋係止部と、
水平バーと、この水平バーを支持するため本体側に軸支された回動アームと、レジ袋係止部と、が一体的に形成された回動部を有し、
前記軸支は前記回動部の前傾方向への回動が可能な軸支であり、
さらに、回動部に設けられこの回動部の前傾方向への回動を制止するための回動係止部と、本体側に設けられ前記回動係止部を係止させる被係止部と、を有することを特徴とするレジ袋陳列構造。
【請求項２】
軸支に係る回動体の軸部が上方への摺動可能に設けられると共に、前記上方への摺動時には回動係止部の被係止部からの開放がなされて回動可能となるたことを特徴とする請求項１記載のレジ袋陳列構造。
【請求項３】
回動部の前面側に前面板が設けられると共に、この前面板が回動部の前傾方向への回動のストッパーを成すことを特徴とする請求項１又は２に記載のレジ袋陳列構造。
【請求項４】
レジ袋の開口部に係止孔を有して引きちぎり可能な係止片を有した前記レジ袋を商品として陳列するためのレジ袋陳列部と、レジ袋以外の商品を陳列する商品陳列部とを有する陳列棚であって、
前記レジ袋陳列部が、請求項１〜３のいずれかに記載のレジ袋陳列構造を有することを特徴とする陳列棚。
【発明の詳細な説明】
【技術分野】
【０００１】
この発明は、スーパーのレジ前に置いてある、ガムなどの商品を陳列するいわゆるレジ前小物品の陳列をするための、陳列棚に設けられるレジ袋陳列構造及び陳列棚に関する発明である。
【背景技術】
【０００２】
スーパーのレジ前では、ガム、飴、電池、或いはひげ剃りなど、小物で価格的にも少額な商品が陳列してある。少額であることと、いずれ必要となる商品なので、購入予定ではなかったこれら商品でも、レジ精算の直前に陳列することにより、再度、購入を促す効果が得られるから、この様なレジ前に置かれているのであり、設置場所と陳列する商品との組み合わせにその特徴がある。
【０００３】
またこの様なレジ前の陳列棚は、商品の回転も良好であり、販売に要する床面積と、これに対する売上との比率の面ではコストパフォーマンスに優れるので、重要な販売ポイントの一つなのである。
【０００４】
このレジ前の陳列棚には、図１４に示す様にレジコーナーの区画の形成を兼ねて設置される陳列棚１００の他に、この陳列棚１００の両サイド設置されて、レジカウンターＲへの導入口に面している小型の陳列棚１０１も設置されている。
【０００５】
一方、いわゆるレジ袋に関し、最近は有料化の傾向が進んでいる。そのためレジ精算の際には、レジ袋が必要かどうかをレジ担当の店員が顧客に尋ね、必要な顧客にはレジカウンター内においてあるレジ袋を取り出して、精算済の買い物カゴにいれて渡すなどしている。
【０００６】
ただ、レジ精算のその都度に顧客に聞くのも互いに煩わしいこともあり、他の商品と共にレジ袋も商品として陳列し、これを顧客が購入し、買い物カゴに入れた状態にレジに臨む様にしている店も出てきている。
【発明の開示】
【発明が解決しようとする課題】
【０００７】
この様にレジ袋を商品として陳列するのに最適な場所はレジ前なので、従来はレジ前に陳列されていたガムなどの替わりに、図１５に例示する様に、レジ袋２００の陳列棚１０２を設置する様になった店もある。レジ袋の陳列のために撤去された棚は、図１４中のレジカウンターへの導入口に面した小型の陳列棚１０１である。レジカウンターの直前に陳列させると、レジ袋の買い忘れにも対処しやすいからである。
【０００８】
ただこれにより、撤去された陳列棚の商品は当然、売れなくなってしまい、その分の売り上げ減少も少なからぬ額となっている。
【０００９】
本願発明は以上の課題に対処するために成されたものであり、レジ前の陳列棚に設けられるレジ袋陳列構造であって、従来のレジ前商品の売り上げ減少を抑えつつ、レジ袋の販売も可能なレジ袋陳列部、及びその陳列棚を提供することにある。
【課題を解決するための手段】
【００１０】
以上の課題の解決のため、本願請求項１記載の、レジ袋の開口部に係止孔を有して引きちぎり可能な係止片を有した前記レジ袋を商品として陳列するための、陳列棚に設けられるレジ袋陳列構造の発明は、
前記陳列棚に装着する本体と、この本体の前方側にて左右方向に設けられると共に平折りして多数重ねた前記レジ袋の束を２つ折りにして掛けるための水平バーと、レジ袋の前記係止片が２つ折りの背面側となる様にして前記水平バーに掛けた時にレジ袋の前記係止孔を係止させるレジ袋係止部と、を有することを特徴とする。
【００１１】
請求項２記載の発明は、請求項１記載の陳列棚であって、水平バーと、この水平バーを支持するため本体側に軸支された回動アームと、レジ袋係止部と、が一体的に形成された回動部を有し、  前記軸支は前記回動部の前傾方向への回動が可能な軸支であることを特徴とする。
【００１２】
請求項３記載の発明は、請求項２記載の陳列棚であって、回動部に設けられこの回動部の前傾方向への回動を制止するための回動係止部と、本体側に設けられ前記回動係止部を係止させる被係止部と、を有することを特徴とする。
【００１３】
請求項４記載の発明は、請求項３記載の陳列棚であって、軸支に係る回動体の軸部が上方への摺動可能に設けられると共に、前記上方への摺動時には回動係止部の被係止部からの開放がなされて回動可能となるたことを特徴とする。
【００１４】
請求項５記載の発明は、請求項２〜４のいずれかに記載の陳列棚であって、回動部の前面側に前面板が設けられると共に、この前面板が回動部の前傾方向への回動のストッパーを成すことを特徴とする。
【００１５】
請求項６記載の陳列棚の発明は、レジ袋の開口部に係止孔を有して引きちぎり可能な係止片を有した前記レジ袋を商品として陳列するためのレジ袋陳列部と、レジ袋以外の商品を陳列する商品陳列部とを有する陳列棚であって、前記レジ袋陳列部が、請求項１〜５のいずれか記載のレジ袋陳列構造を有することを特徴とする。
【００１６】
請求項７記載の陳列棚の発明は、レジ袋の開口部に係止孔を有して引きちぎり可能な係止片を有した前記レジ袋を商品として陳列するためのレジ袋陳列部と、レジ袋以外の商品を陳列する商品陳列部とを有する陳列棚であって、前記レジ袋陳列部が、レジ袋の前記係止孔を通して陳列するためのフック部を有することを特徴とする。
【発明を実施するための最良の形態】
【００１７】
次に本願発明の実施例を、図をもって説明する。
【００１８】
図１に示すのは、本願発明のレジ袋陳列部を備えた陳列棚１の実施例であり、一回り大きい陳列棚１００の側部に設置される。この実施例の陳列棚１は、床に設置される平板状の脚部２と、この脚部２に立設させた支柱３と、この支柱３に高さ調整可能に設けられた枠体４と、この枠体４の両角を構成したスリットを有した角柱５と、この角柱５の下方部に装着されたレジ袋用のレジ袋陳列部６と、このレジ袋陳列部６上方に装着されてガムなどの商品を陳列する棚板７とを有している。
【００１９】
そしてレジ袋陳列部６には、図２に示す様なレジ袋２００を平折りして多数重ねた束２００Ａを、図３に示す様に、２つ折りにして掛けて陳列するのである。そして一番上のレジ袋１枚をつかみ取れる様になっている。このレジ袋２００は、平折りに畳んだときは、開口部２０１の両端に握り部２１０があり、中央には係止孔２２０を有した係止片２３０が設けられている。係止片２３０は、フックなどにその係止孔２２０を通しておき、レジ袋２００を引っ張ると、係止片２３０の途中で切れて、レジ袋２００が取れる様になっている。
【００２０】
陳列棚１は、図４に示す様な部品や部分から構成されており、上方には一般的な陳列棚と同様の棚板７が数段に亘り装着されている。レジ袋陳列部６は次に述べる構成である。
【００２１】
即ちこのレジ袋陳列部６は、図５〜７に示す様に左右の角柱５に、板面を立てて架け渡した平板状の本体８と、この本体８の前面側に有底間隙Ｓを空けて本体８板面と平行に設けられた軸支板９と、この軸支板９の前記間隙Ｓ内に軸部１０が収納されて前傾方向への回動が可能に軸支された回動部１１と、この回動部１１の前傾回動を制止するために回動部１１に設けられた回動係止部１２を係止させる被係止部１３と、回動部１１の前面に設けられた前面板１４と、を有している。
【００２２】
本体８は、方形なスティール板材であり、左右の両辺にブラケット１５を有し、角柱５のスリットに挿入して架け渡し装着ができる様になっている。
【００２３】
被係止部１３は、本体８の上辺中央に設けられたスティール板で、上方からステンレス棒が挿入できる孔を有し、回動係止部１２が挿入されて係止されるために設けられている。
【００２４】
軸支板９もスティールの板材であり、板材を断面略Ｓ字状に屈曲させ、本体８前面にポケット状の間隙Ｓを形成する様に設けられたものである。そして軸支板９は、その下片部９ａが本体への固着部をなし、下片部９ａから前方へ屈曲された部位が底部９ｂを成し、この底部９ｂから本体８と平行に上方延長された前壁部９ｃを有している。本体８と前壁部９ｃとの間隙Ｓは、回動部１１の軸部１０の直径にほぼ等しく形成されている。前壁部９ｃの上端の左右隅は、ネジ１６でこの前壁部９ｃを、本体８との間隙Ｓを空けて本体８に固定支持させてある。またこのネジは、後述する回動部１１の上下移動の際には、回動部１１の軸部１０が上方へ抜け切ってしまわない様な抜け止めにもなっている。
【００２５】
回動部１１はスティールの丸棒材を組合わせて形成されており、予定しているレジ袋の横幅に対応する長さの水平バー１７と、この水平バー両端に設けられたレジ袋のズレ止め１７ａと、水平バー１７の両端を支持する回動アーム１８と、この回動アーム１８の基端側（水平バーと反対の側）に屈曲形成されて間隙Ｓ内に挿入される軸部１０とを有している。また、水平バー１７の中央からほぼ回動アーム１８と平行に中央アーム１９の設けられており、前傾時には２つ折りに掛けたレジ袋２００の上半分が、この中央アーム１９と回転アーム１８とに載せるようになっている。更に、中央アーム１９の基端側には、回転部１１の背面側に屈曲させて形成したレジ袋係止部２０が、レジ袋２００側の係止孔２２０に通すためにもうけられている。またこのレジ袋係止部２０を更に延長させて下方に屈曲させて形成させ、本体８側の被係止部１３に係止する回動係止部１２とを有している。
【００２６】
なお軸支板９は、本体８との間隙Ｓが、回動体１１の軸部１０を多少きつめに締める状態の間隙幅となっている。
【００２７】
前面板１４はコ字状に屈曲されたスティール板であり、本体８に両端に取り付けられることにより、底のない箱形状を形成する様になっている。この前面板１４は、回動部１１を前傾方向に回動させると、この前面板１４の上辺に当接して回動が止まる様になっている。従って回動部１１は、回動係止部１２が本体８側の被係止部１３に係止された位置と、この前面板１４に当接する位置との間で回動するようになっているのである。
【００２８】
なお前面板１４の前面は、広告その他の案内などの掲示板１４ａとして使うことができる。
【００２９】
次に本実施例の使用方法を説明する。
【００３０】
回動部１１は、図５〜７に示した状態が定位置であり、つまり回動係止部１２が本体８側の被係止部１３に挿入されて係止しており、回動部１１の軸部１０は軸支板９の有底間隙Ｓの底部９ｂに載置された状態となっている。
【００３１】
この定位置状態から、回動部１１を上に引き上げると、図８〜９に示す様に回動係止部１２が被係止部１３から外れ、回動の制止がなくなるので、前傾方向への回動をさせることができる。なお引き上げたときには、回動部１１の軸部１０も、本体８と軸支板９との間隙Ｓの中を上方に動くのであるが、軸部１０が間隙Ｓ上方のネジ１６にあたった位置で上げ止まる様になっている。この様に上げ止まったか回動体１１を前傾方向に回動させると前面板１４がストッパーとなるので、この前面板１４に立て掛ける様にして前傾させておくことができる。
【００３２】
この状態であると、回動部１１の背側に位置するレジ袋係止部２０にも手が届きやすくなるのであり、この状態でレジ袋２００を多数重ねた束を２つ折りにして水平バー１７に掛ける。このときレジ袋開口部２０１の係止片２３０が、図１０に示す様に、回動部１１背側になる姿勢に掛けるのである。そして届きやすくなっているレジ袋係止部２０に、レジ袋２００の係止孔２２０を通すと、レジ袋束２００Ａのレジ袋陳列部６への仮取り付けが完了する。
【００３３】
後は、図１１に示す様に、回動部１１の前傾を起こして立て、下に降ろしながら回動係止部１２を本体８側の被係止部１３に挿入して係止させる。最後に前面板９の前に垂れているレジ袋の前半分２００Ｂを前面板１４の背側に入れて図１２〜１３の状態にすると、完了である。
【００３４】
この状態で、顧客への陳列ができており、また前面板１４の前面には掲示板１４ａとして、例えば、「レジ袋ご希望のお客様には、１枚５円で販売させて頂きます。」などの案内を記載したものを掲示する事ができる。レジ袋の有料化が認知されていない当初であれば、この様な案内も必要と考えられる。
【００３５】
そして顧客がレジ袋の束２００Ａの一番上の一枚を摘んで引くと、レジ袋２００の係止片２３０がちぎれ、取ることができる。尚この時、摘んだレジ袋を前方に引く場合もあるが、上方に引く場合もある。上方に引く場合には、具合によっては係止片２３０がちぎれ難いなどして、回動部１１ごと引き上げてしまう場合もありうる。その点、このレジ袋陳列部６は、本体８と軸支板９との間隙Ｓが回動部１１の軸部１０を多少きつめに締める間隙幅となっているので、軸部１０と間隙Ｓとの間に生ずる摺動抵抗により、レジ袋２００がちぎり取れずに回動部１１が引き上がってしまうということもない。
【図面の簡単な説明】
【００３６】
【図１】この図は、実施例の陳列棚の図である。
【図２】この図は、平折りにしたレジ袋の図である。
【図３】この図は、図１の陳列棚にレジ袋の束を掛けた図である。
【図４】この図は、図１の陳列棚の一部を分解した図である。
【図５】この図は、レジ袋陳列部の切り欠き斜視図のである。
【図６】この図は、レジ袋陳列部の側面を透視した図である。
【図７】この図は、レジ袋陳列部を平面視して一部を切り欠いた図である。
【図８】この図は、回動部を引き上げる操作の説明図である。
【図９】この図は、回動部を引き上げて前傾回動させる操作の説明図である。
【図１０】この図は、回動部にレジ袋を掛けて起こす操作の説明図である。
【図１１】この図は、起こした回動部の回動係止部を被係止部に係止させる操作の説明図である。
【図１２】この図は、図１１の状態から回動部係止部を被係止部に係止して、レジ袋を前面板の背側に収納させた図である。
【図１３】この図は、図１２と同様の図である。
【図１４】この図は、従来のレジ前に設置される陳列棚の図である。
【図１５】この図は、レジ前にレジ袋を陳列した従来の図である。
【符号の説明】
【００３７】
１  陳列棚
４  枠体
５  角柱
６  レジ袋陳列部
７  棚板
８  本体
９  軸支板
１０  軸部
１１  回動部
１２  回動係止部
１３  被係止部
１４  前面板
１７  水平バー
１８  回動アーム
１９  中央アーム
２０  レジ袋係止部
【図１】
0005324807.tif 000002
【図２】
0005324807.tif 000003
【図３】
0005324807.tif 000004
【図４】
0005324807.tif 000005
【図５】
0005324807.tif 000006
【図６】
0005324807.tif 000007
【図７】
0005324807.tif 000008
【図８】
0005324807.tif 000009
【図９】
0005324807.tif 000010
【図１０】
0005324807.tif 000011
【図１１】
0005324807.tif 000012
【図１２】
0005324807.tif 000013
【図１３】
0005324807.tif 000014
【図１４】
0005324807.tif 000015
【図１５】
0005324807.tif 000016